(57)【要約】【課題】灯具の側面付近で影になる領域を抑えつつ、温度変化による透光性カバーの膨張収縮に対応できる灯具を提供する。【解決手段】カバー支持部材の先端部は、板に重なる領域から板の外側に突出している。透光性カバーは、空間を隔てて光源に対向する主面部と、空間の側方を覆う側面部と、側面部から灯具本体に向かって突出するとともに灯具本体の辺部に沿って連続して形成された上端部とを有する。透光性カバーの上端部が部分的にカバー支持部材の先端部に重なることで透光性カバーが灯具本体に支持されている。【選択図】図９
2020107581.tif 000002
【特許請求の範囲】
【請求項１】
光源配置面と前記光源配置面の反対側の裏面とを有する板と、前記板の前記光源配置面に配置された複数の光源と、前記板に固定された複数のカバー支持部材と、を有する灯具本体と、
前記板の前記裏面に設けられた嵌合アダプタと、
透光性カバーと、
を備え、
前記カバー支持部材の先端部は、前記板に重なる領域から前記板の外側に突出し、
前記透光性カバーは、空間を隔てて前記光源に対向する主面部と、前記空間の側方を覆う側面部と、前記側面部から前記灯具本体に向かって突出するとともに前記灯具本体の辺部に沿って連続して形成された上端部とを有し、
前記透光性カバーの前記上端部が部分的に前記カバー支持部材の前記先端部に重なることで前記透光性カバーが前記灯具本体に支持されている灯具。
【請求項２】
前記透光性カバーは、前記灯具本体の発光面の端部に重なる領域に突出した下端部を有し、
前記下端部と、前記発光面の前記端部との間に緩衝材が設けられた請求項１記載の灯具。
【請求項３】
前記板の端部が前記裏面の上に重なるように折り曲げられている請求項１または２に記載の灯具。
【請求項４】
前記板の折り曲げられた端部は、前記カバー支持部材の前記先端部を前記板の外側に突出させる貫通孔を有する請求項３記載の灯具。
【請求項５】
前記光源は、前記灯具本体において前記嵌合アダプタが重なる領域にも配置されている請求項１〜４のいずれか１つに記載の灯具。
【発明の詳細な説明】
【技術分野】
【０００１】
本開示は、灯具に関する。
【背景技術】
【０００２】
照明装置における透光性カバーのシャーシへの取付構造として、例えば特許文献１には、透光性カバーの屈曲させた外周縁部をシャーシに取り付ける構造が開示されている。
【先行技術文献】
【特許文献】
【０００３】
【特許文献１】特開２０１２−２２８４９号公報
【発明の概要】
【発明が解決しようとする課題】
【０００４】
本開示は、灯具の側面付近で影になる領域を抑えつつ、温度変化による透光性カバーの膨張収縮に対応できる灯具を提供する。
【課題を解決するための手段】
【０００５】
本開示の一態様によれば、光源配置面と前記光源配置面の反対側の裏面とを有する板と、前記板の前記光源配置面に配置された複数の光源と、前記板に固定された複数のカバー支持部材と、を有する灯具本体と、前記板の前記裏面に設けられた嵌合アダプタと、透光性カバーと、を備え、前記カバー支持部材の先端部は、前記板に重なる領域から前記板の外側に突出し、前記透光性カバーは、空間を隔てて前記光源に対向する主面部と、前記空間の側方を覆う側面部と、前記側面部から前記灯具本体に向かって突出するとともに前記灯具本体の辺部に沿って連続して形成された上端部とを有し、前記透光性カバーの前記上端部が部分的に前記カバー支持部材の前記先端部に重なることで前記透光性カバーが前記灯具本体に支持されている灯具が提供される。
【発明の効果】
【０００６】
本開示の灯具によれば、灯具の側面付近で影になる領域を抑えつつ、温度変化による透光性カバーの膨張収縮に対応できる。
【図面の簡単な説明】
【０００７】
【図１】本発明の一実施形態の灯具が天井材に取り付けられた状態を表す側面図である。
【図２】本発明の一実施形態の灯具における発光面の平面図である。
【図３】図１に示す要素のうち天井材の裏側に位置する要素の斜視図である。
【図４】本発明の一実施形態の灯具の裏面の斜視図である。
【図５】本発明の一実施形態の光源モジュールの平面図である。
【図６】本発明の一実施形態の光源モジュールおよびカバーの模式断面図である。
【図７】本発明の一実施形態の光源の配光特性図である。
【図８】本発明の一実施形態の灯具における灯具本体に対する透光性カバーの支持構造を示す斜視図である。
【図９】本発明の一実施形態の灯具におけるカバー支持部材を用いた透光性カバーの支持構造を示す断面図である。
【図１０】本発明の一実施形態の灯具におけるカバー支持部材が配置されていない部分の透光性カバーと灯具本体との配置関係を示す断面図である。
【図１１】本発明の一実施形態の取付金具の斜視図である。
【図１２】天井材の取付穴に嵌め込まれた本発明の一実施形態の取付金具の下面図である。
【図１３】本発明の一実施形態の取付金具と嵌合アダプタとの嵌合構造を表す斜視図である。
【図１４】本発明の一実施形態の取付金具と嵌合アダプタとの嵌合構造を表す断面斜視図である。
【図１５】本発明の一実施形態の嵌合アダプタと取外し部材との連結構造を表す斜視図である。
【図１６】本発明の一実施形態の嵌合アダプタと取外し部材との連結構造を表す斜視図である。
【図１７】参照例における灯具本体の金属板の断面図である。
【発明を実施するための形態】
【０００８】
以下、図面を参照し、本発明の一実施形態について説明する。なお、各図面中、同じ要素には同じ符号を付している。
【０００９】
図１は、本発明の一実施形態の灯具１００が、建材である例えば天井材３００に取り付けられた状態を表す側面図である。
図２は、灯具１００における発光面の平面図である。
図３は、図１に示す要素のうち天井材３００の裏側に位置する要素の斜視図である。
図４は、灯具１００の裏面の斜視図である。
【００１０】
灯具１００は、灯具本体１０と、透光性カバー３０と、嵌合アダプタ４０とを有する。灯具本体１０は、板１１を有する。板１１は金属板が好ましい。図４に示すように、金属板１１は、例えば矩形板状に形成されている。
【００１１】
金属板１１の裏面１１ｂに、嵌合アダプタ４０が設けられている。嵌合アダプタ４０は、金属板１１の裏面に例えばねじで固定されている。嵌合アダプタ４０は例えば円錐台形状に形成されている。嵌合アダプタ４０の上面に、例えばソケット構造の灯具側コネクタ４３が固定されている。また、金属板１１の裏面１１ｂには、クッション材１３が設けられている。
【００１２】
灯具本体１０は、さらに光源モジュール２０を有する。
図５は、光源モジュール２０の発光面側の平面図である。
図６は、光源モジュール２０および透光性カバー３０の模式断面図である。
【００１３】
光源モジュール２０は金属板１１の裏面１１ｂの反対側の光源配置面１１ａに取り付けられている。光源モジュール２０は金属板１１に例えばねじ止めされている。金属板１１は、光源モジュール２０の補強板および放熱板として機能する。
【００１４】
光源モジュール２０は、基板２１と、複数の光源２２とを有する。基板２１は、光源実装面２１ａと、光源実装面２１ａの反対側の裏面２１ｂとを有する。複数の光源２２が、基板２１の光源実装面２１ａに周期配列されている。図５に示す例では、複数の光源２２は、等ピッチで格子配列されている。基板２１の裏面２１ｂは、金属板１１の光源配置面１１ａに接している。
【００１５】
光源モジュール２０の基板２１は、例えば樹脂またはセラミックの絶縁性基板であり、その光源実装面２１ａに導体パターンが形成されている。光源２２は、例えばＬＥＤ（Light Emitting Diode）等の発光素子２３と、蛍光体層２４と、樹脂部材２５とを含む。発光素子２３は、基板２１の光源実装面２１ａに実装され、発光素子２３の電極は基板２１に形成された導体パターンと電気的に接続されている。また、基板２１に形成された導体パターンは、嵌合アダプタ４０の上面に設けられた灯具側コネクタ４３と電気接続している。
【００１６】
蛍光体層２４は発光素子２３を覆い、さらに樹脂部材２５が蛍光体層２４を覆っている。樹脂部材２５において発光素子２３の上面の中心付近を覆う部分が凹んでおり、このような形状の樹脂部材２５は、光源２２にバットウイング形の配光特性を与えるレンズとして機能する。
【００１７】
図７は、バットウイング形の配光特性の一例を示す図である。横軸は光源２２から出射される光の出射角を表し、光源２２が配置される光源配置面に対して垂直な方向を０°としている。縦軸は光源２２から出射される光の強度を表す。
【００１８】
バットウイング形の配光特性とは、出射角が０°から−９０°の範囲の領域に、出射角が０°のときの強度よりも大きい第１の強度ピークを有し、出射角が０°から９０°の範囲の領域に、出射角が０°のときの強度よりも大きい第２の強度ピークを有する配光特性である。
【００１９】
光源２２はバットウイング形の配光特性をもつため、灯具１００の薄型化にともない光源２２と透光性カバー３０との間の距離が短い場合でも、輝度ムラの少ない均一発光面が得られる。また、灯具の１００の発光面を視界に入れた人が光源２２を点状にまぶしく感じにくくできる。
【００２０】
透光性カバー３０は、光源２２が発する光に対する透光性を有する。透光性カバー３０は、例えばアクリルなどの樹脂材に酸化チタン等を分散させた光拡散性を有する乳白色に形成されている。透光性カバー３０は、光源２２を覆うように、灯具本体１０に支持されている。
【００２１】
図８は、灯具本体１０に対する透光性カバー３０の支持構造を示す斜視図である。
【００２２】
透光性カバー３０は、カバー支持部材１４によって、灯具本体１０に対して支持される。カバー支持部材１４は、金属板１１の裏面１１ｂに配置されている。カバー支持部材１４は、例えばねじ１７で金属板１１に固定されている。図４に示すように、複数のカバー支持部材１４が、矩形状の金属板１１の長辺に沿って、互いに離間して配置されている。
【００２３】
図９は、カバー支持部材１４を用いた透光性カバー３０の支持構造を示す断面図である。
【００２４】
カバー支持部材１４の先端部１４ａは、金属板１１に重なる領域から金属板１１の外側に突出している。カバー支持部材１４の先端部１４ａは、灯具本体１０の外縁部よりも外側に位置し、灯具本体１０の上面および下面（発光面）に重なっていない。
【００２５】
金属板１１の端部１１ｃは、裏面１１ｂの上に重なるように折り曲げられている。その金属板１１の折り曲げられた部分には貫通孔１１ｄが形成され、カバー支持部材１４の先端部１４ａは貫通孔１１ｄを通じて金属板１１の外側に突出している。
【００２６】
透光性カバー３０は、主面部３１と、側面部３２と、上端部３３とを有する。主面部３１は、空間７０を隔てて光源２２に対向している。側面部３２は、主面部３１の端部に連続して設けられ、空間７０の側方を覆っている。側面部３２は、灯具本体１０の外縁部よりも外側に位置する。灯具本体１０の辺部と辺部との境界の角部において、側面部３２は連続している。
【００２７】
上端部３３は、側面部３２の上端に連続して設けられ、側面部３２から灯具本体１０に向かって突出している。上端部３３は、灯具本体１０の上面および下面に重なっていない。上端部３３は、灯具本体１０の外縁部よりも外側の位置で、灯具本体１０の辺部に沿って連続して形成されている。灯具本体１０の辺部と辺部との境界の角部において、透光性カバー３０の上端部３３は途切れている。または、灯具本体１０の辺部と辺部との境界の角部において、透光性カバー３０の上端部３３は連続していてもよい。
【００２８】
灯具本体１０の辺部に沿って連続した上端部３３のうちの一部分は、カバー支持部材１４の先端部１４ａに重なっている。例えば、灯具本体１０の上端部３３のうちの一部分は、カバー支持部材１４の先端部１４ａの上面に載置されるように、カバー支持部材１４の先端部１４ａに引っ掛かっている。このように、透光性カバー３０の上端部３３が部分的にカバー支持部材１４の先端部１４ａに重なる（引っ掛かる）ことで透光性カバー３０が灯具本体１０に支持されている。
【００２９】
本実施形態では、透光性カバー３０を締結部品で灯具本体１０に対して固定する構造ではなく、透光性カバー３０の上端部３３をカバー支持部材１４の先端部１４ａに重ねる（引っ掛ける）だけなので、透光性カバー３０が温度変化で膨張収縮しても透光性カバー３０を灯具本体１０に容易に取り付けることができる。また、取付部に無理な力がかからず透光性カバー３０の破損を防ぐことができる。
【００３０】
透光性カバー３０の上端部３３は、カバー支持部材１４が配置された部分ではカバー支持部材１４の先端部１４ａに重なるが、カバー支持部材１４が配置されていない大部分の領域では灯具本体１０にもカバー支持部材１４にも重なっていない。
【００３１】
カバー支持部材１４の先端部１４ａは灯具本体１０の外側に突出し、その先端部１４ａに透光性カバー３０の上端部３３が重なっている（引っ掛かっている）。したがって、カバー支持部材１４が配置されていない大部分の領域においては、図１０に示すように、透光性カバー３０の上端部３３は灯具本体１０にもカバー支持部材１４にも重なっていない。図１０は、カバー支持部材１４が配置されていない部分の透光性カバー３０と灯具本体１０との配置関係を示す断面図である。
【００３２】
透光性カバー３０の上端部３３は、カバー支持部材１４に重なる（引っ掛かる）部分と、カバー支持部材１４に重ならない部分とを有し、カバー支持部材１４に重ならない部分の面積は、カバー支持部材１４に重なる部分の面積よりも十分に広い。
【００３３】
したがって、透光性カバー３０の内側の空間７０から透光性カバー３０の上端部３３に向かって進む光の大部分は、灯具本体１０およびカバー支持部材１４に遮られることなく上端部３３から外部に出射することができ、灯具１００の周辺の天井面や空間を照らす間接照明効果が得られる。また、灯具１００の側面付近で影になる領域を最小限に抑えて、均一な発光を得ることができる。
【００３４】
透光性カバー３０の上端部３３の下方には、灯具本体１０の発光面の端部（基板２１の端部）に重なる領域に突出した下端部３４が設けられている。下端部３４と基板２１の端部との間には、空間７０の内外を遮断する緩衝材１６が設けられている。緩衝材１６は、例えば弾性（クッション性）を有する部材であり、透光性カバー３０の突出部３４の上面および基板２１の下面に密着している。下端部３４および緩衝材１６は、矩形状の基板２１の辺部に沿って連続している。
【００３５】
透光性カバー３０は、その膨張収縮を考慮して、透光性カバー３０の上端部３３がカバー支持部材１４に引っ掛かった状態において、突出部３４と基板２１との間に隙間（いわゆる遊び）が形成されるよう設計されている。緩衝材１６はその隙間を閉塞し、空間７０内への虫や塵の侵入を防ぐ。
【００３６】
灯具本体１０の面方向の中央部が嵌合アダプタ４０を介して天井に取り付けられた灯具において、特に灯具本体１０の平面サイズが大きくなると、灯具本体１０の端部が自重により下方に垂れ下がりやすくなり、灯具本体１０の端部に強度が求められる場合がある。
【００３７】
灯具本体１０の強度を高める方法としては、強化用部材を灯具本体１０に取り付ける、または、図１７の参照例に示すように、金属板１１１に折り曲げ加工や凹凸加工を行う方法が考えられる。
【００３８】
しかしながら、図１７に示す参照例において、金属板１１１に設けられた凸部１１１ａは光源２２を配置した基板２１に非接触となり、光源２２の熱を基板２１を通じて金属板１１１に伝える放熱性が低下する。また、金属板１１１の端部１１１ｂは発光面側の下方に折り曲げられ、透光性カバー３０の側面部３２や上端部３３からの光の出射を妨げる。
【００３９】
本実施形態では、図９および図１０に示すように、金属板１１の端部１１ｃを、発光面の反対側の裏面１１ｂの上に重なるように折り曲げることで灯具本体１０の端部の強度を高めている。そのため、基板２１から浮く部分を発生させずに基板２１との接触による放熱性を確保し、かつ側面部３２や上端部３３からの光の出射が妨げられない。また、強化用部材を追加することなく、放熱を担う金属板１１の端部１１ｃの折り曲げ加工で容易に対応できる。
【００４０】
図４に示すように、矩形状の金属板１１においては、４辺のうちの２つの長辺側の端部１１ｃを折り曲げれば十分な強度が得られる。正方形、または長辺と短辺との長さの差が小さい形状の金属板１１においてはすべての辺側の端部を折り曲げ加工してもよい。
【００４１】
実施形態の灯具１００は、取付金具６０によって、天井材３００に取り付けられる。図１１は、取付金具６０の斜視図である。
【００４２】
取付金具６０は環状に形成され、その内側に開口６４を有する。取付金具６０の側面には、板ばね構造の複数の取付ばね６３が設けられている。取付金具６０の下面には、環状のフランジ６１が設けられている。フランジ６１の外径は、天井材３００に形成された円形の取付穴の直径よりも大きい。フランジ６１の上面には、開口６４の縁に沿って受け板６２が設けられている。
【００４３】
取付金具６０は、天井材３００に形成された取付穴３００ａに嵌め込まれる。
【００４４】
図１２は、天井材３００の取付穴３００ａに嵌め込まれた取付金具６０の下面図である。図１２は、照明対象空間に面する天井材３００の表側を表す。
【００４５】
取付金具６０の側面と取付穴３００ａの内壁との間に、取付ばね６３が自然状態から変形した状態で配置される。この取付ばね６３の復元力により、取付金具６０は上方に付勢され、フランジ６１の外縁部側の上面が天井材３００の表側の面に押し当たることで（図１４参照）、取付金具６０が取付穴３００ａに嵌合した状態が保持される。
【００４６】
取付金具６０を天井材３００の取付穴３００ａに嵌め込む前に、必要に応じて、天井材３００の裏側に、図３に示す電源ユニット５０が配置される。電源ユニット５０は、取付穴３００ａから天井材３００の裏側に通され、天井材３００の裏側において取付穴３００ａに重ならない位置に配置される。
【００４７】
または、既に天井材３００の裏側に設置済みの電源ユニット５０をそのまま使う場合には、電源ユニット５０を天井材３００の裏側に設置する作業は不要となる。
【００４８】
図３に示すように、電源ユニット５０は、外部電源（商用電源）と接続可能な端子台５２、５３を有する。電源ユニット５０からは電気ケーブル５１が導出されている。端子台５２、５３の端子は、電源ユニット５０の回路基板に電気接続され、その回路基板に電気ケーブル５１が電気接続されている。電気ケーブル５１の端部には、電源側コネクタ５１ａが設けられている。
【００４９】
灯具本体１０が天井材３００に取り付けられる前の状態において、電気ケーブル５１は、天井材３００の取付穴３００ａ、およびその取付穴３００ａに嵌め込まれた取付金具６０の内側の開口６４を通され、電源側コネクタ５１ａが天井材３００の表側に位置する。
【００５０】
灯具１００の取付作業を行う作業者は、灯具１００を天井材３００に近づけ、灯具１００を片手で保持しつつ、もう一方の手で、取付穴３００ａから垂下する電気ケーブル５１の電源側コネクタ５１ａをつかんで、灯具本体１０の裏面に設けられた嵌合アダプタ４０の上面に固定された灯具側コネクタ４３に電源側コネクタ５１ａを接続する。
【００５１】
電源側コネクタ５１ａを灯具側コネクタ４３に接続した後、嵌合アダプタ４０を、天井材３００の取付穴３００ａに嵌め込まれた取付金具６０の内側の開口６４に嵌め込む。
【００５２】
図１３は、取付金具６０と嵌合アダプタ４０との嵌合構造を表す斜視図である。
図１４は、取付金具６０と嵌合アダプタ４０との嵌合構造を表す断面斜視図である。
【００５３】
嵌合アダプタ４０は、上ケース４１と、下ケース４２と、２つのスライド部材４５と、２つのスライド部材４５を連結するばね４７とを有する。
【００５４】
それぞれのスライド部材４５の先端には、傾斜面をもつ爪部４４が設けられている。ばね４７の伸縮に伴う２つのスライド部材４５のスライド移動により、爪部４４は上ケース４１と下ケース４２との間に形成された開口を通じてケース４１、４２の内側に引っ込んだり、ケース４１、４２の外側に突出することが可能となっている。
【００５５】
図１３および図１４は、爪部４４がケース４１、４２の外側に突出して、取付金具６０の受け板６２の上面に乗り上がった状態を示す。図１４に示すように、上ケース４１から下方に突出するストッパー４１ａがスライド部材４５の上面に形成された凹部４６内に位置し、ストッパー４１ａと凹部４６の壁面との当接により、２つのスライド部材４５の互いに離間する方向への移動が規制される。
【００５６】
通常、爪部４４はケース４１、４２の外側に突出している。嵌合アダプタ４０を取付金具６０の内側に嵌め込むときに、取付金具６０のフランジ６１の内周壁および受け板６２の内周壁に、爪部４４の傾斜面を当接させる。爪部４４がフランジ６１の内周壁および受け板６２の内周壁から受ける力により、２つのスライド部材４５はばね４７を圧縮させて互いに近づくようにスライド移動する。爪部４４はケース４１、４２の内側に引っ込み、取付金具６０の内側への嵌合アダプタ４０の嵌め込みを許容する。
【００５７】
そして、爪部４４が受け板６２よりも上方の位置まで移動すると、爪部４４が受け板６２の内周壁から受ける力が解除され、ばね４７の復元力により２つのスライド部材４５は互いに離間する方向に付勢される。爪部４４はケース４１、４２の外側に突出し、爪部４４の下面が受け板６２の上面に乗り上げる。これにより、嵌合アダプタ４０、および嵌合アダプタ４０と固定された灯具本体１０の、取付金具６０からの落下が防止される。
【００５８】
嵌合アダプタ４０が取付金具６０に嵌合した状態において、図４に示す金属板１１の裏面１１ｂに設けられたクッション材１３が、天井材３００の表側の面に密着する。図１に示すように、透光性カバー３０の主面部３１は、天井材３００の表側の面に平行となり、天井材３００の下方の空間に向けられる。
【００５９】
または、実施形態の灯具１００は、天井材３００に対する取付方法と同様の方法で、壁材に対しても取り付けることができる。灯具１００が壁材に取り付けられると、カバー３０の主面部３１は壁面に平行となり、壁材の側方空間に向けられる。
【００６０】
光源モジュール２０における複数の光源２２は、天井材３００の取付穴３００ａの面積および取付金具６０の開口６４の面積よりも広い領域にわたって配置され、灯具本体１０において嵌合アダプタ４０に重なる領域にも光源２２が配置されている。このため、透光性カバー３０の主面部３１において、取付穴３００ａおよび嵌合アダプタ４０に重なる領域である中央部も光らせることができ、広い面積にわたって発光面が得られる。
【００６１】
また、嵌合アダプタ４０が取付金具６０に嵌合した状態において、図３に示すように、嵌合アダプタ４０の上面、および電源側コネクタ５１ａと灯具側コネクタ４３との接続部は、天井材３００裏側の空間に露出する。嵌合アダプタ４０はその上面を天井材３００裏側の空間に露出させ、取付金具６０に固定される。電源ユニット５０は、嵌合アダプタ４０に重ならない位置に配置され、嵌合アダプタ４０を覆っていない。このため、光源モジュール２０で発生した熱を、嵌合アダプタ４０を通じて、天井材３００の裏側の空間に放熱することができる。
【００６２】
次に、天井材３００からの灯具１００の取外し方法について説明する。
【００６３】
図４に示すように、金属板１１の裏面１１ｂには、取外し部材１２が設けられている。取外し部材１２の一端部１２ｃは灯具本体１０の側面に露出し、灯具本体１０が天井材３００に取り付けられた状態において作業者は取外し部材１２の一端部１２ｃを指または治具でつかむことができる。取外し部材１２の他端部は、嵌合アダプタ４０のスライド部材４５に連結されている。
【００６４】
図１５および図１６は、嵌合アダプタ４０と取外し部材１２との連結構造を表す斜視図である。
図１５は、嵌合アダプタ４０の上ケース４１を取り外した状態を示す。
図１６は、図１５においてさらに下ケース４２も取り外し、取外し部材１２とスライド部材４５との連結構造を裏側から見た斜視図である。
【００６５】
取外し部材１２とスライド部材４５とは、２つのアーム部材４８を介して連結されている。それぞれのアーム部材４８は、下ケース４２に設けられた軸部４２ａを支点に回動することができる。
【００６６】
それぞれのアーム部材４８の一端部には貫通孔４８ａが形成され、その貫通孔４８ａ内に、取外し部材１２の他端に設けられたピン１２ａが係合している。
【００６７】
取外し部材１２には長穴１２ｂが形成され、その長穴１２ｂ内にねじ１５が位置している。ねじ１５は、金属板１１に取り付けられている。作業者が取外し部材１２の一端部１２ｃを例えば治具で引っ張ることで、取外し部材１２の長手方向に沿って取外し部材１２をスライドさせることができる。このとき、長穴１２ｂの内壁とねじ１５との当接によって、取外し部材１２のスライド移動がガイドされる。
【００６８】
取外し部材１２の一端部１２ｃが灯具本体１０からはみ出す方向に取外し部材１２を引っ張ると、取外し部材１２のピン１２ａに係合している一対のアーム部材４８が軸部４２ａを支点に回動する。このアーム部材４８の回動により、図１６に示すアーム部材４８の他端部４８ｂが、スライド部材４５の下面に設けられた突出部４９を押す。これにより、２つのスライド部材４５は、ばね４７を圧縮させて互いに近づく方向にスライド移動する。
【００６９】
このスライド部材４５のスライド移動により、爪部４４が、図１４に示す取付金具６０の受け板６２に乗り上げた状態が解除され、嵌合アダプタ４０が取付金具６０から外れ、灯具本体１０を天井材３００から取り外すことができる。
【００７０】
図４に示す取外し部材１２の一端部１２ｃは、例えば灯具本体１０の内側に折り曲げられ、その一端部１２ｃに治具を引っ掛けることが可能になっている。取外し部材１２の一端部１２ｃの位置は、透光性カバー３０の上端部３３に形成された切欠に位置合わせされ、灯具本体１０の側面に露出している。
【００７１】
取外し部材１２は金属部材であり、その金属部材は透光性カバー３０の色（例えば乳白色）と同じまたは近い色に塗装されている。取外し部材１２は例えば白色に塗装されている。このため、特に非点灯時において、取外し部材１２の一端部１２ｃが灯具本体１０の側面で目立たず、外観の品位を損なわない。
【００７２】
以上説明した実施形態によれば、灯具本体１０の形状およびサイズに合わせた角穴を建材にあけなくてもよく、天井材３００への施工は、灯具本体１０のサイズよりも小さく、嵌合アダプタ４０のサイズに合わせた１つの取付穴３００ａをあけるだけでよい。そして、取付穴３００ａに嵌め込まれた取付金具６０に対して、嵌合アダプタ４０を嵌め込むことで灯具本体１０を簡単に天井材３００に取り付けることができる。
【００７３】
灯具側コネクタ４３は、ケーブルの一端に接続されてぶらぶらしているのではなく、嵌合アダプタ４０の上面に固定されている。一方で、電源側コネクタ５１ａは電気ケーブル５１によって電源ユニット５０から導出されている。したがって、電源側コネクタ５１ａを天井材３００の取付穴３００ａおよび取付金具６０の開口６４を通して天井材３００の表側における作業者の手元に位置させ、作業者はその電源側コネクタ５１ａを片手でつかみ、もう一方の手を透光性カバー３０の主面部３１に添えて灯具１００を支えつつ、灯具側コネクタ４３に電源側コネクタ５１ａを接続させることができる。灯具側コネクタ４３自体を手でつかまなくてもよい。そのため、灯具本体１０の平面サイズが大型化しても、１人の作業者によって、電源ユニット５０と灯具１００との電気接続、および灯具１００の天井材３００への取り付けを容易に行うことができる。
【００７４】
灯具１００を天井材３００から取り外す際にも、一方の手を灯具１００の発光面３１に添えて灯具１００を支えつつ、前述した取り外し部材１２の一端をもう片方の手で例えば治具を使って引っ張ることで嵌合アダプタ４０の爪部４４と取付金具６０との係合が解除され、灯具１００を天井材３００から取り外すことができる。この後、片手で灯具１００を支えた状態を維持しつつ、もう片方の手を取り外し部材１２から電源側コネクタ５１ａに移動させて電源側コネクタ５１ａを引っ張って灯具側コネクタ４３から引き抜くことができる。すなわち、灯具１００の天井材３００からの取り外し、および電源ユニット５０と灯具１００との電気接続の解除も１人の作業者によって容易に行うことができる。
【００７５】
このような実施形態によれば、多品種の灯具本体１０を、これらに共通の電源ユニット５０に対してワンタッチで簡単に接続できるため、手間をかけずに他種の灯具本体１０への変更が可能となる。この灯具本体１０の変更に際して、共通の電源ユニット５０は天井材３００から外す必要がない。
【００７６】
また、取付金具６０は環状に形成され、その上方は閉塞されずに開放されている。したがって、電源側コネクタ５１ａを灯具側コネクタ４３に接続した後、嵌合アダプタ４０を取付金具６０に嵌め込む際に、電気ケーブル５１をどこかに挟み込んだり、引っ掛かけたりすることなく、取付金具６０の上方の空間に退避させることができ、取付金具６０に対する嵌合アダプタ４０の嵌め込み作業が妨げられない。
【００７７】
以上、具体例を参照しつつ、本開示の実施形態について説明した。しかし、本開示は、これらの具体例に限定されるものではない。本開示の上述した実施形態を基にして、当業者が適宜設計変更して実施し得る全ての形態も、本開示の要旨を包含する限り、本開示の範囲に属する。その他、本開示の思想の範疇において、当業者であれば、各種の変更例及び修正例に想到し得るものであり、それら変更例及び修正例についても本開示の範囲に属するものと了解される。
【符号の説明】
【００７８】
１０…灯具本体、１１…金属板、１１ａ…光源配置面、１４…カバー支持部材、１６…緩衝材、２０…光源モジュール、２２…光源、２３…発光素子、３０…透光性カバー、４０…嵌合アダプタ、５０…電源ユニット、６０…取付金具、１００…灯具、３００…天井材
【図１】
2020107581.tif 000003
【図２】
2020107581.tif 000004
【図３】
2020107581.tif 000005
【図４】
2020107581.tif 000006
【図５】
2020107581.tif 000007
【図６】
2020107581.tif 000008
【図７】
2020107581.tif 000009
【図８】
2020107581.tif 000010
【図９】
2020107581.tif 000011
【図１０】
2020107581.tif 000012
【図１１】
2020107581.tif 000013
【図１２】
2020107581.tif 000014
【図１３】
2020107581.tif 000015
【図１４】
2020107581.tif 000016
【図１５】
2020107581.tif 000017
【図１６】
2020107581.tif 000018
【図１７】
2020107581.tif 000019